(57)【特許請求の範囲】
【請求項１】
カメラレンズ部の周囲に設けられ、段差となるように凸状に形成された段差部を有するスマートフォンに装着可能なものであって、
プレート材により構成されるプレート体と、
マグネット体と、を有し、
前記マグネット体が、前記プレート体の内部に埋め込まれ、または前記プレート体の表裏をなす面のうち、前記スマートフォンに対して装着される装着面に嵌め込まれており、
前記プレート体には、前記スマートフォンの前記カメラレンズ部を露出させる円形の貫通孔としてレンズ孔が複数設けられており、複数の前記レンズ孔の周辺部分には、他の部分よりも前記プレート体の厚みを減じるように形成されたレンズ位置凹部が設けられており、前記段差部とレンズ位置凹部とが位置決めとして機能する、スマートフォン用プレート。
【請求項２】
前記スマートフォンの背面からカメラレンズ部の端面までの距離をレンズ突出高さとした場合、
前記プレート体の厚みが、前記レンズ突出高さ以上である、請求項１に記載のスマートフォン用プレート。
【請求項３】
前記マグネット体は、プレート体の略中央に埋め込まれている、請求項１又は２に記載のスマートフォン用プレート。
【発明の詳細な説明】
【技術分野】
【０００１】
本発明は、スマートフォンに着脱可能なプレートに関する。
【背景技術】
【０００２】
近年、スマートフォンの普及に伴い、スマートフォンを保護するため、あるいはスマートフォンを装飾するためなど、多様な種類のカバーが提供されている。このようなスマートフォン用のカバーとして、例えば、下記特許文献１には、スマートフォンに着脱可能なスマートフォンケースが開示されている。特許文献１のスマートフォンケースでは、意匠パネルを取り替えることで、スマートフォンの背面意匠をユーザの好みに応じたものとすることができるとされている。
【先行技術文献】
【特許文献】
【０００３】
【特許文献１】実用新案登録第３２１８１５２号公報
【発明の概要】
【発明が解決しようとする課題】
【０００４】
しかしながら、特許文献１のスマートフォンケースのように、従来のスマートフォンケースでは、スマートフォンの背面及び側面をカバーする形状のものとされていた。そのため、従来のスマートフォンケースは、スマートフォンよりも一回り大きい外形となるため、嵩張るといった問題があった。また、多数のケースの中からユーザがその日の気分でケースを選ぶとすると、多数のケースを保管するためのスペースを要するほか、着脱が面倒といった問題があった。そのため、より手軽にスマートフォンの意匠の取り替えをしたい（着せ替えをしたい）との要望があった。
【０００５】
そこで本発明は、シンプルな構造で、かつ手軽に取り替えが出来るスマートフォン用プレートの提供を目的とした。
【課題を解決するための手段】
【０００６】
ここで、昨今では、スマートフォンをワイヤレスで充電するための充電器やワイヤレス充電に対応するスマートフォンが提供されている。また、ワイヤレス充電器とスマートフォンとの位置ズレを抑制するために、磁石が設けられたスマートフォンが提供されている。
【０００７】
本発明の発明者が検討したところ、スマートフォンの背面を覆うプレート状の部材にマグネットを設ければ、より手軽にスマートフォンの着せ替えを行うことができるとともに、プレート材をしっかりとスマートフォンに装着することができるとの知見に至った。
【０００８】
（１）上述の知見に基づき提供される本発明のスマートフォン用プレートは、スマートフォンに装着可能なものであって、プレート材により構成されるプレート体と、マグネット体と、を有し、前記マグネット体が、前記プレート体の内部に埋め込まれ、または前記プレート体の表裏をなす面のうち、前記スマートフォンに対して装着される装着面に嵌め込まれているものである。
【０００９】
また、スマートフォン用プレートにおいて、前記プレート体の表裏をなす面のうち、前記スマートフォンに対して装着される面を装着面とし、他方の面を意匠面としてもよい。
【００１０】
本発明のスマートフォン用プレートをスマートフォンの背面に装着すると、スマートフォンに設けられた磁石の磁力及びマグネット体の磁力により、プレート体がしっかりとスマートフォンに装着される。言い換えれば、スマートフォン用プレートはスマートフォンの背面に貼り付くように装着される。
【００１１】
これにより、スマートフォン用プレートをスマートフォンに容易に着脱することができる。その結果、本発明のスマートフォン用プレートは、より手軽にスマートフォンの着せ替えを行うことができるとともに、しっかりとスマートフォンに装着することができる。
【００１２】
本発明のスマートフォン用プレートは、前記プレート体には、前記スマートフォンのカメラレンズ部を露出させる貫通孔としてレンズ孔が設けられているものであるとよい。
【００１３】
本発明のスマートフォン用プレートをスマートフォンに装着させると、スマートフォンのカメラレンズ部をレンズ孔に嵌め込まれた状態となる。言い方を換えれば、カメラレンズ部の凸形状とレンズ孔の凹形状とが位置決めとして機能する。これにより、スマートフォンに対してプレート体をズレ難くすることができる。
【００１４】
（２）本発明のスマートフォン用プレートは、前記スマートフォンの背面からカメラレンズ部の端面までの距離をレンズ突出高さとした場合、前記プレート体の厚みが、前記レンズ突出高さ以上であるとよい。
【００１５】
上述の構成によれば、カメラレンズ部の周縁が、プレート体により取り囲まれた状態となる。言い方を換えれば、カメラレンズの突出距離（背面に対するカメラレンズ部の端面の高さ）を埋めるようにプレート体が配置される。これにより、本発明のスマートフォン用プレートは、スマートフォンのカメラレンズを保護することができる。
【００１６】
（４）本発明のスマートフォン用プレートは、前記プレート体には、前記スマートフォンのカメラレンズ部を露出させる円形の貫通孔としてレンズ孔が複数設けられており、複数の前記レンズ孔の周辺部分には、他の部分よりも前記プレート体の厚みを減じるように形成されたレンズ位置凹部が設けられているものであるとよい。
【００１７】
本発明のスマートフォン用プレートをスマートフォンに装着させると、スマートフォンのカメラレンズ部がレンズ孔に嵌め込まれるとともに、スマートフォンの段差部分がレンズ位置凹部に嵌め込まれた状態となる。言い方を換えれば、カメラレンズ部の凸形状とレンズ孔の凹形状とが位置決めとして機能するとともに、段差部分の凸形状とレンズ位置凹部の凹形状とが位置決めとして機能する。これにより、スマートフォンに対してプレート体をズレ難くすることができる。
【００１８】
本発明のスマートフォン用プレートは、前記マグネット体が、所定の厚み以下のネオジム磁石であるとよい。
【００１９】
上述の構成によれば、プレート体の厚みが大きくなることを抑制することができる。
【００２０】
本発明のスマートフォン用プレートは、前記プレート体には、前記マグネット体を嵌め込むためのマグネット凹部が形成されており、前記マグネット凹部の深さが、前記マグネット体の厚み以上であるとよい。
【００２１】
上述の構成によれば、マグネット凹部の深さを埋めるようにマグネット体を嵌め込んで略面一とし、見栄えを向上させることができる。
【００２２】
本発明のスマートフォン用プレートは、前記マグネット体が、環状に配置されているものであるとよい。
【００２３】
上述の構成によれば、マグネット体が設けられる領域を最小限に抑制することができる。
【発明の効果】
【００２４】
本発明によれば、シンプルな構造で、かつ手軽に取り替えが出来るスマートフォン用プレートを提供することができる。
【図面の簡単な説明】
【００２５】
【図１】本発明の実施形態に係るスマートフォン用プレート及びスマートフォン用プレートの装着対象となるスマートフォンを示す斜視図である。（ａ）はスマートフォン用プレートをスマートフォンに装着する前の状態、（ｂ）は装着状態を示している。
【図２】図１のスマートフォン用プレートの装着面を示す斜視図である。
【図３】図１のスマートフォン用プレートの分解斜視図である。
【図４】図１のスマートフォン用プレートのプレート体を示している。（ａ）は装着面、（ｂ）は意匠面を示している。
【図５】図４のＬ１−Ｌ１’線断面図である。
【図６】（ａ）は図４のＬ２−Ｌ２’線断面図、（ｂ）はスマートフォンのカメラレンズ部周辺を示す断面図である。
【図７】図１のスマートフォン用プレートをスマートフォンに装着した状態におけるカメラレンズ部周辺を示す断面図である。
【図８】図１のスマートフォン用プレートの変形例を示している。（ａ）は装着面、（ｂ）は意匠面を示している。
【発明を実施するための形態】
【００２６】
以下、本発明の実施形態に係るスマートフォン用プレート１０について、図面を参照しつつ説明する。なお、以下の説明では、スマートフォン用プレート１０の説明に先立って、スマートフォン用プレート１０の装着対象となるスマートフォン１の外形について説明する。
＜スマートフォンについて＞
図１（ａ）に示すとおり、スマートフォン１には、背面１ａに二つのカメラレンズ部２、フラッシュ部３が設けられている。また、カメラレンズ部２やフラッシュ部３の周囲は、背面１ａに対して段差となるように形成された段差部４（凸状に形成された領域）が設けられている。
【００２７】
さらに、スマートフォン１には、ワイヤレス充電器を位置決めするためのマグネット５が設けられている。図１（ａ）に示すとおり、スマートフォン１のマグネット５には、環状に配置されている部分（第１マグネット部５ａ）と、第１マグネット部５ａの近傍に設けられた第２マグネット部５ｂとが含まれている。
【００２８】
図６（ｂ）に示すとおり、段差部４は、背面１ａに対して所定の高さＤｘ３（０．５ミリ程度）とされている。また、図６（ｂ）に示すとおり、カメラレンズ部２は、スマートフォン１の背面１ａからカメラレンズ部２の端面２ａまでの距離（レンズ突出高さＤｘ１）は、１．３ミリ程度となっている。
＜スマートフォン用プレートについて＞
続いて、スマートフォン用プレート１０について説明する。図１に示すとおり、スマートフォン用プレート１０は、スマートフォン１の背面１ａに着脱可能とされており、スマートフォン１の背面１ａのデザインをユーザの好みに応じたものに変更するため（着せ替え）に用いられる。
【００２９】
図３に示すとおり、スマートフォン用プレート１０は、プレート体２０、及びマグネット体３０を備えている。図２に示すとおり、スマートフォン用プレート１０は、プレート体２０にマグネット体３０が嵌め込まれた構成とされている。
【００３０】
なお、以下の説明では、プレート体２０の表裏をなす面のうち、スマートフォン１に対して装着される面を単に「装着面２１ａ」と、他方の面を単に「意匠面２１ｂ」と記載して説明する場合がある。
【００３１】
図３に示すとおり、プレート体２０は、板状の素材（プレート材）により構成されている。本実施形態のスマートフォン用プレート１０は、樹脂素材のプレート材により構成されている。なお、本発明のスマートフォン用プレートは本実施形態に限定されず、プレート材は他の樹脂素材（カーボン樹脂など）を用いてもよいし、木材、金属製の板材等、種々選択可能である。
【００３２】
図６（ａ）に示すとおり、プレート体２０は、厚みＤ１（本実施形態では２．０ミリ）のプレート体が用いられている。すなわち、プレート体２０の厚みＤ１（２．０ミリ）は、スマートフォン１のレンズ突出高さＤｘ１（１．３ミリ程度）以上となっている。また、プレート体２０は、平面視において略矩形の外形とされており、スマートフォン１の大きさ（平面視における大きさ）と略一致する大きさとされている（図１（ｂ）参照）。
【００３３】
図４に示すとおり、プレート体２０には、複数の貫通孔や、厚みを減じるように形成された複数の凹部が設けられている。より具体的には、図４（ｂ）に示すとおり、プレート体２０には、貫通孔として、レンズ孔２２、及びフラッシュ孔２３が設けられている。また、図４（ａ）に示すとおり、プレート体２０には、厚みを減じるように形成され、所定の深さを有する凹部として、レンズ位置凹部２６、及びマグネット凹部２７が設けられている。レンズ位置凹部２６、及びマグネット凹部２７は、プレート体２０の装着面２１ａに設けられている。
【００３４】
レンズ孔２２は、スマートフォン１のカメラレンズ部２を露出させるために設けられている（図１（ｂ）参照）。図４（ａ）に示すとおり、レンズ孔２２は、円形の貫通孔とされている。本実施形態のスマートフォン用プレート１０には、二つのレンズ孔２２が設けられている。図６（ａ）及び図６（ｂ）に示すとおり、二つのレンズ孔２２の直径Ｄ４はカメラレンズ部２の直径Ｄｘ４と略一致する大きさとなっている。
【００３５】
フラッシュ孔２３は、スマートフォン１のフラッシュ部３を露出させるために設けられている。フラッシュ孔２３は、円形の貫通孔とされている。
【００３６】
図３に示すとおり、レンズ位置凹部２６は、スマートフォン１の段差部４を嵌め込むために設けられている。レンズ位置凹部２６は、複数のレンズ孔２２やフラッシュ孔２３が設けられた位置の周辺部分に形成されている。別の観点から説明すると、レンズ孔２２、及びフラッシュ孔２３は、レンズ位置凹部２６に設けられている。レンズ位置凹部２６は、略矩形の輪郭を備えている。また、図６（ａ）及び図６（ｂ）に示すおり、レンズ位置凹部２６は、スマートフォン１の段差部４の高さＤｘ３よりも大きい深さＤ３（本実施形態では０．８ミリ）となっている。
【００３７】
マグネット凹部２７は、マグネット体３０を嵌め込むために設けられている。図３に示すとおり、本実施形態のスマートフォン用プレート１０では、マグネット凹部２７として、第１マグネット凹部２７ａと、第２マグネット凹部２７ｂとが設けられている。
【００３８】
図３及び図４（ａ）に示すとおり、第１マグネット凹部２７ａは、プレート体２０の略中央に形成されており、環状の形状を有する凹部となっている。また、図３及び図４（ａ）に示すとおり、第２マグネット凹部２７ｂは、第１マグネット凹部２７ａから外れた位置に形成されている。図５に示すとおり、マグネット凹部２７（第１マグネット凹部２７ａ及び第２マグネット凹部２７ｂ）は、所定の深さＤ２（本実施形態では１．０ミリ）となっている。なお、マグネット凹部２７の深さＤ２（１．０ミリ）は、マグネット体３０の厚み（本実施形態では０．８ミリ）以上となっている。
【００３９】
マグネット体３０は、所定の厚み（本実施形態では０．８ミリ）のネオジム磁石である。本実施形態のマグネット体３０は、複数のネオジム磁石片により構成されており、プレート体２０の装着面２１ａに形成されたマグネット凹部２７に嵌め込まれている。より具体的に説明すると、マグネット体３０は、複数のネオジム磁石片が第１マグネット凹部２７ａに環状を形成するように嵌め込まれており、一つのネオジム磁石片が第２マグネット凹部２７ｂに嵌め込まれた構成とされている。
【００４０】
なお、マグネット体３０のネオジム磁石片は、マグネット凹部２７の深さＤ２（１．０ミリ）よりもやや小さい厚み（０．８ミリ）とされている。そのため、プレート体２０のマグネット凹部２７にマグネット体３０が嵌め込まれた状態では、マグネット凹部２７を埋めるようにマグネット体３０が配置されてマグネット体３０が突出しないようになっており、装着面２１ａが略面一となる（図２参照）。また、プレート体２０は、装着面２１ａにシート部材を張り付け、マグネット凹部２７に受けられたマグネット体３０を覆ってもよい。
＜スマートフォン用プレートの装着状態について＞
続いて、スマートフォン用プレート１０をスマートフォン１に装着させた状態（以下、単に「装着状態」と記載する場合がある）について説明する。
【００４１】
上述のとおり、スマートフォン用プレート１０には、マグネット体３０が嵌め込まれている。そのため、スマートフォン用プレート１０をスマートフォン１の背面１ａに装着すると、スマートフォン１に設けられた磁石の磁力及びマグネット体３０の磁力により、プレート体２０がしっかりとスマートフォン１に装着される。言い換えれば、スマートフォン用プレート１０はスマートフォン１の背面１ａに貼り付くように装着される。
【００４２】
このように、スマートフォン用プレート１０は、スマートフォン１の側面を覆う部分がないため、スマートフォン１の背面１ａに貼り付けるように装着することができ、スマートフォン１の背面１ａから剥がすように取り外すことができる。
【００４３】
これにより、スマートフォン用プレート１０をスマートフォン１に容易に着脱することができる。その結果、より手軽にスマートフォン１の着せ替えを行うことができるとともに、しっかりとスマートフォン１に装着することができる。
【００４４】
また、スマートフォン用プレート１０は、板状の外形となっている。そのため、色違いや絵柄違い、素材違いなど多数のスマートフォン用プレート１０を準備したとしても、嵩張らずにコンパクトに保管することができる。
【００４５】
また、スマートフォン用プレート１０をスマートフォン１に装着させると、スマートフォン１のカメラレンズ部２がレンズ孔２２に嵌め込まれるとともに、スマートフォン１の段差部４がレンズ位置凹部２６に嵌め込まれた状態となる（図１（ｂ）及び図７参照）。言い方を換えれば、カメラレンズ部２の凸形状とレンズ孔２２の凹形状とが位置決めとして機能するとともに、段差部４の凸形状とレンズ位置凹部２６の凹形状とが位置決めとして機能する。これにより、スマートフォン１に対してプレート体２０をズレ難くすることができる。
【００４６】
また、本実施形態のスマートフォン用プレート１０では、プレート体２０の厚みＤ１が、レンズ突出高さＤｘ１よりも大きい。そのため、スマートフォン用プレート１０をスマートフォン１に装着させると、カメラレンズ部２の周縁が、プレート体２０により取り囲まれた状態となる（図１（ｂ）及び図７参照）。言い方を換えれば、レンズ突出高さＤｘ１（背面１ａに対するカメラレンズ部２の端面２ａの高さ）を埋めるようにプレート体２０が配置される。これにより、カメラレンズの周囲を覆い、カメラレンズを保護することができる。
【００４７】
さらに、上述のとおり本実施形態のスマートフォン用プレート１０では、マグネット体３０は、所定の厚み以下のネオジム磁石とされている。そのため、本実施形態のスマートフォン用プレート１０では、プレート体２０の厚みが大きくなることを抑制することができる。
【００４８】
さらに、上述のとおり本実施形態のスマートフォン用プレート１０では、プレート体２０のマグネット凹部２７の深さＤ３は、マグネット体３０の厚み以上とされている。これにより、マグネット凹部２７の深さを埋めるようにマグネット体３０を嵌め込んで略面一とし、見栄えを向上させることができる。
【００４９】
さらに、上述のとおり本実施形態のスマートフォン用プレート１０では、マグネット体３０が、スマートフォン１の磁石の配置と略一致するように環状に配置されている。これにより、マグネット体３０が設けられる領域を最小限に抑制することができる。
【００５０】
以上、本発明の実施形態に係るスマートフォン用プレート１０について説明したが、本発明は上述の実施形態に限定されない。
【００５１】
例えば、図８に示すスマートフォン用プレート４０のように、本発明のスマートフォン用プレートは、プレート体２０をカーボン樹脂により構成する場合には、電波通過孔４４を設けるとよい。
【００５２】
電波通過孔４４は、スマートフォン１の電波を通過（出入り）させるための貫通孔である。図８に一例として示す電波通過孔４４は、略円形の貫通孔とされている。電波通過孔４４は、プレート体２０の略中央であって、マグネット凹部２７に取り囲まれる位置に形成することができる。これにより、プレート体２０の素材として電波を吸収するカーボン樹脂を採用しつつ、スマートフォン１の電波を通過させ、スマートフォン１がつながりにくくなるなどの不具合を抑制することができる。
【００５３】
また、上述の実施形態に係るスマートフォン用プレート１０では、レンズ孔２２を二つ設けた例を示したが、本発明のスマートフォン用プレートは、レンズ孔が一つであってもよいし、三つ以上であってもよい。また、レンズ孔やフラッシュ孔以外の貫通孔が設けられたものであってもよい。
【００５４】
さらに、上述の実施形態に係るスマートフォン用プレート１０では、プレート体２０の厚みＤ１を２．０ミリとした例を示したが、プレート体の厚みは２．０ミリよりも小さくてもよいし、大きいものであってもよい。なお、プレート体の厚みは、破損抑制、あるいはコストなどの観点から、１．０ミリ以上であって、３．０ミリ以下のものであるとよい。
【００５５】
さらに、上述の実施形態に係るスマートフォン用プレート１０では、意匠面２１ｂを無地のものとした例を示したが、意匠面には印刷などが施されたものであってもよい。
【００５６】
さらに、上述の実施形態に係るスマートフォン用プレート１０では、マグネット体３０をネオジム磁石片により構成した例を示したが、マグネット体はネオジム磁石を所定の形状に形成したもの（例えば環状、扇状、略矩形など）であってもよい。
【００５７】
さらに、上述の実施形態では、スマートフォン１に一枚のスマートフォン用プレート１０を装着させた例を示したが、スマートフォン用プレートは複数枚を重ねてスマートフォンに装着させてもよい。
【００５８】
本実施形態において、スマートフォン１のレンズ２に応じてレンズ穴２２を設ける例を示したが、フラッシュ部３やマイク部などの形状に応じて他の穴を設けてもよい。
【００５９】
本実施形態において、スマートフォン用プレート１０は、プレート体２０の装着面２１ａ側にマグネット体３０が嵌め込まれた構成とされている例を示したが、マグネット体３０は、プレート体２０の内部に埋め込まれて（内臓されて）いてもよい。プレート体２０の内部に埋め込む場合、プレート体２０は、装着面２１ａにシート部材を張り付け、マグネット凹部２７に受けられたマグネット体３０を覆ってもよいし、板状の素材（プレート材）を貼り合わせてマグネット体３０を挟んでもよい。
【００６０】
以上、本発明の実施形態について説明したが、本発明はこれらの記述に限定されるものではない。前述の実施形態に関して、当業者が適宜設計変更を加えたものも、本発明の特徴を備えている限り、本発明の範囲に包含される。
【産業上の利用可能性】
【００６１】
本発明は、スマートフォンの背面意匠をユーザの好みのデザインに変更させるプレートとして、好適に採用することができる。
【符号の説明】
【００６２】
１      スマートフォン
２      カメラレンズ部
２ａ    端面
１０    スマートフォン用プレート
２０    プレート体
２１ａ  装着面
２１ｂ  意匠面
２２    レンズ孔
２６    レンズ位置凹部
２７    マグネット凹部
２７ａ  第１マグネット凹部（マグネット凹部）
２７ｂ  第２マグネット凹部（マグネット凹部）
３０    マグネット体
【要約】
【課題】本発明は、シンプルな構造で、かつ手軽に取り替えが出来るスマートフォン用プレートの提供を目的とした。
【解決手段】本発明のスマートフォン用プレート１０は、スマートフォン１に装着可能なものであって、プレート材により構成されるプレート体２０と、マグネット体３０と、を有し、プレート体２０の表裏をなす面のうち、スマートフォン１に対して装着される面を装着面２１ａとし、他方の面を意匠面２１ｂとした場合、マグネット体３０が、プレート体２０の装着面２１ａに嵌め込まれている。
【選択図】図２【図１】
0006879616.tif 000002
【図２】
0006879616.tif 000003
【図３】
0006879616.tif 000004
【図４】
0006879616.tif 000005
【図５】
0006879616.tif 000006
【図６】
0006879616.tif 000007
【図７】
0006879616.tif 000008
【図８】
0006879616.tif 000009